(57)【要約】【課題】  本発明は、誘導加熱される釜アセンブリーと、これを製造する方法に関するものである。【解決手段】  本発明の一形態では、外面の一部に備わる多数の突起を含む内釜(inner pot)と、前記突起を収容するホールを有し、前記内釜の外面の少なくとも一部に圧搾される、磁化可能な金属材質のキャップを備えている誘導加熱調理器機の釜アセンブリーを提供し、（ａ）内部及び上部にそれぞれ調理空間と開口部を持つ内釜を形成する段階と、（ｂ）前記内釜の少なくとも外面の一部に対応する形象を持ち、多数のホールを持ったキャップを形成する段階と、（ｃ）前記内釜とキャップを所定の温度で予熱する段階と、（ｄ）前記内釜とキャップを高温で圧搾する段階と、を備えている誘導加熱調理器機の釜の製造方法を提供する。【選択図】      図３
2004243116.tif 000002
【特許請求の範囲】
【請求項１】
外面の一部に備わる多数の突起を含む内釜と、
前記突起を収容するホールを有し、前記内釜外面の少なくとも一部に圧搾された磁化可能な金属材質のキャップを備えていることを特徴とする誘導加熱調理器機の釜。
【請求項２】
前記キャップは前記内釜の下面に備わることを特徴とする請求項１に記載の誘導加熱調理器機の釜。
【請求項３】
前記キャップは、前記内釜の下部周囲面に備わることを特徴とする請求項１または２に記載の誘導加熱調理器機の釜。
【請求項４】
前記キャップは、前記内釜の外周面の全体に備わることを特徴とする請求項１に記載の誘導加熱調理器機の釜。
【請求項５】
前記内釜は、アルミニウムからなることを特徴とする請求項１に記載の誘導加熱調理器機の釜。
【請求項６】
前記キャップは、ステンレススチールからなることを特徴とする請求項１に記載の誘導加熱調理器機の釜。
【請求項７】
内部に空間を有し、上部が開放されたケースと、
前記ケースの上部を開閉するように前記ケースにヒンジ結合するカバーと;
外面一部に備わり多数の突起を含む内釜と、
前記突起を収容するホールを有し、前記内釜の外面の少なくとも一部に圧搾された磁化可能な金属材質のキャップを備え、前記ケース内に装着または分離する釜と、
前記ケース内に備わり、前記釜が装着された時に前記キャップと向い合うように配置されるコイルを備えている誘導加熱調理器機。
【請求項８】
前記ケースと前記カバーのうち、いずれか１ヶ所以上に備わるヒーターを更に備えていることを特徴とする請求項７に記載の誘導加熱調理器機。
【請求項９】
前記カバーに備わり前記内釜の内部蒸気を外部に排出するバルブを更に備えていることを特徴とする請求項７に記載の誘導加熱調理器機。
【請求項１０】
前記内釜は、アルミニウムからなることを特徴とする請求項７に記載の誘導加熱調理器機。
【請求項１１】
前記キャップは、ステンレススチールからなることを特徴とする請求項７に記載の誘導加熱調理器機。
【請求項１２】
（ａ）内部及び上部にそれぞれ調理空間と開口部を持つ内釜を形成する段階と、
（ｂ）前記内釜の少なくとも外面一部に対応する形象を持ち、多数のホールを持ったキャップを形成する段階と、
（ｃ）前記内釜とキャップを所定の温度で予熱する段階と、
（ｄ）前記内釜とキャップを高温で圧搾する段階とを備えている誘導加熱調理器機の釜の製造方法。
【請求項１３】
前記（ａ）段階は、第１板をドローイング加工して行うことを特徴とする請求項１２に記載の誘導加熱調理器機の釜の製造方法。
【請求項１４】
前記（ｂ）段階は、
第２板を穿孔して前記ホールを形成する段階と、
ホールが形成された前記第２板を塑性変形させる段階と
を備えていることを特徴とする請求項１２に記載の誘導加熱調理器機の釜の製造方法。
【請求項１５】
前記（ｄ）段階は、内釜の外周面の一部が圧し込まれて前記キャップのホールに嵌め込まれるまで行われることを特徴とする請求項１２に記載の誘導加熱調理器機の釜の製造方法。
【発明の詳細な説明】
【技術分野】
【０００１】
本発明は、誘導加熱調理機器に関するもので、更に詳しくは調理器機内で誘導加熱される釜と、これを製造する方法に関するものである。
【背景技術】
【０００２】
最近は、電気を利用して食べ物を調理する誘導加熱式調理機器が多用されている。
【０００３】
このような誘導加熱式調理機器は、電流が印加されたコイル周辺に形成される磁場によって誘導された渦電流(eddy current)が、釜に流れる時に発生する抵抗熱を利用して前記釜(pot)内部に保存された食べ物を調理する。図１にはこのような誘導加熱式調理器機の一例が図示され、以下ではこれを参照して誘導加熱式調理機器について説明する。
【０００４】
図１を参照すれば、ケース１は内部に空間を持ち、上部は開放される。そしてカバー２が前記ケース１の上部を開閉できるように、前記ケース１にヒンジ結合される。前記ケース１の内部空間には釜３が備わり、前記釜３は前記ケース１の開放されている上部を通じて、前記ケース１の内部空間に装着されるか、外部に引き出される。
【０００５】
ここで、前記釜３は一般的に、図２に図示したように、ステンレススチール３ａとアルミニウム３ｂを接合して作ったクラッド(clad)板をドローイング加工して製作する。このように製作した釜３において、前記ステンレススチール３ａは釜３の外部を成し、前記アルミニウム３ｂは釜３の内部を成す。
【０００６】
前記ケース１の内部空間にはコイル４が備わるが、前記コイル４は前記釜３が前記ケース１内に装着される時に、前記釜３の底面と下部の側面と向い合う。そして、前記コイル４の上側には第１ヒーター５が備わるが、前記第１ヒーター５は、前記釜３が前記ケース１内に装着される時、前記釜３の上部外周面のほとんどを包むようになる。前記カバー２には、前記釜３の開放された上部と向い合うように配置された第２ヒーター６が備わる。
【０００７】
そして、前記カバー２には調理中や調理後に釜３内部の蒸気を外部に排出するためのバルブ８が備わる。そして前記カバー２及び前記ケース１の内部空間には前記釜３の内部温度を測定するためのセンサー７が備わる。
【０００８】
前記のような構造を持った誘導加熱調理器機のコイル４に電流が印加されれば、前記コイル４周辺には磁力線が発生する。この時、前記釜３は前記ケース１内に装着されており、前記磁力線は前記釜３を透過するようになる。前記磁力線が前記釜３を透過する時、前記磁力線の周辺には多数の渦電流が発生し、前記渦電流が釜３内部を流れる時に抵抗熱が発生して釜３自体が熱くなる。このように釜３自体から発生した抵抗熱により、前記釜３内部に収容された食べ物を加熱する。一方、前記第１及び第２ヒーター５、６は調理をするうちに食べ物を補助的に加熱するか、調理が完了した後に食べ物を保温する役目を果す。
【０００９】
しかし、前記のように作動する一般的な誘導加熱調理機器は、次のような問題点を持っている。
【００１０】
第一、釜を製作するためには、まずステンレススチールとアルミニウムを利用してクラッド板を作った後、前記クラッド板をドローイング加工しなければならない。従って、釜を製作するための工程が多くなり製造原価が高くなる。
【００１１】
第二、釜の外面全体がステンレススチールで構成されるので、材料費が高くなり釜の重さが重くなる。
【発明の開示】
【発明が解決しようとする課題】
【００１２】
本発明は前記問題を解決するためのもので、その目的は簡単に製造することができる改善された構造を持った誘導加熱調理器機の釜と、これを製造する方法を提供するものである。
【００１３】
本発明の他の目的は、重さが軽い誘導加熱調理器機の釜と、これを製造する方法を提供するものである。
【００１４】
本発明のまた他の目的は、美麗な外観を持つ誘導加熱調理器機の釜と、これを製造する方法を提供するものである。
【課題を解決するための手段】
【００１５】
前記目的を達成するための本発明の第一形態では、外面一部に備わる多数の突起を含む内釜と、前記突起を収容するホールを持ち、前記内釜の外面の少なくとも一部に圧搾された、磁化可能な金属材質のキャップを備えている誘導加熱調理器機の釜を提供する。
【００１６】
本発明の一特徴によれば、前記キャップは前記内釜の下面か、前記内釜の下部周囲面に備わる。
【００１７】
本発明の他の特徴によれば、前記キャップは、前記内釜の外周面の全体に備わる。
【００１８】
本発明の他の特徴によれば、前記内釜は、アルミニウムからなり前記キャップは、ステンレススチールからなる。
【００１９】
一方、前記目的を達成するための本発明の他の一形態では、内部に空間を持って上部が開放されたケースと、前記ケースの上部を開閉するように、前記ケースにヒンジ結合されるカバーと、外面の一部に備わる多数の突起を含む内釜と、前記突起を収容するホールを持ち、前記内釜の外面の少なくとも一部に圧搾された、磁化可能な金属材質のキャップを備え、前記ケース内に装着または分離される釜と、前記ケース内に備わり、前記釜が装着された時に、前記キャップと向い合うように配置されるコイルを備える誘導加熱調理機器を提供する。
【００２０】
本発明の一特徴によれば、前記誘導加熱調理機器は、前記ケースと前記カバーのうち、いずれか１ヶ所以上に備わるヒーターを更に備えている。
【００２１】
本発明の他の特徴によれば、前記誘導加熱調理機器は、前記カバーに備わり、前記内釜の内部の蒸気を外部に排出するバルブを更に備えている。
【００２２】
一方、前記目的を達成するための本発明の他の一形態では、（ａ）内部及び上部にそれぞれ調理空間と開口部を持つ内釜を形成する段階と、（ｂ）前記内釜の少なくとも外面の一部に対応する形象を持ち、多数のホールを有するキャップを形成する段階と、（ｃ）前記内釜とキャップを所定の温度で予熱する段階と、（ｄ）前記内釜とキャップを高温で圧搾する段階とを備えている誘導加熱調理器機の釜の製造方法を提供する。
【００２３】
本発明の一特徴によれば、前記（ａ）段階は第１板をドローイング加工して行う。
【００２４】
本発明の他の特徴によれば、前記（ｂ）段階は第２板を穿孔して前記ホールを形成する段階と、ホールが形成された前記第２板を塑性変形させる段階とからなる。
【００２５】
本発明の他の特徴によれば、前記（ｄ）段階は、内釜の外周面の一部が圧し込まれて前記キャップのホールに嵌め込まれるまで行われる。
【発明の効果】
【００２６】
本発明は、上述した構成を備えることによって、次の効果が得られる。
【００２７】
本発明は、クラッド板材を作る複雑な工程、及び加工したクラッド板材をさらに加工する工程を含むことなく、内釜とキャップとをそれぞれ別途に圧搾して製作するので、従来に比べて簡単に釜を製造することができるという第１の効果を有する。
【００２８】
さらに、本発明は、誘導加熱のために必要な部分にだけキャップが備わるので、従来のものより釜の重量を減らすことができ、また高価なステンレス材質が少なく使われるので製造費用も減少させることができるという第２の効果を有する。
【００２９】
さらに、本発明は、前記キャップのホールを多様な形状で製作することができるので、美しい外観を得ることができるばかりでなく、釜の外部デザインを容易に変形させることができるという第３の効果を有する。
【００３０】
さらに、本発明は、前記内釜の外面一部が、高温高圧によって前記キャップのホールに押し込められた状態で結合するので、接着のために別途の補助材を使う必要がなく、突起とホールによって、前記内釜とキャップは非常に堅固に結合されるという第４の効果を有する。
【発明を実施するための最良の形態】
【００３１】
以下前記目的を具体的に実現することができる本発明の実施例が添付された図面を参照して説明する。
【００３２】
本実施例の説明にあたり、同一構成については同一名称及び符号が使われているため、付加的な説明は下記で省略する。
【００３３】
本発明による誘導加熱機器は、全般的な構成は図１を参照して説明したものと等しい。
【００３４】
従って、本発明による誘導加熱器機の構造に対する説明は略し、以下では前記誘導加熱機器に装着される本発明による釜の構造について説明する。
【００３５】
図３を参照すれば、本発明による釜１００は、内釜１１０と前記内釜１１０の外面に圧搾されたキャップ１２０を含めてなる。
【００３６】
前記内釜１１０は、熱伝達率が良い金属材質、例えばアルミニウム材質からなる。このような内釜１１０は、その内部に食べ物が収容され、熱によって食べ物が調理される調理空間１０１を有する。そして前記内釜１１０の上部は、使用者が前記調理空間１０１から食べ物を出し入れできるように開放される。
【００３７】
前記内釜１１０は、ほぼ円筒状からなり底面は平たい。そして、前記内釜１１０の側面、即ち、外周面と底面は、図３に図示したように丸みを帯びた曲面で連結する。
【００３８】
前記のような形象を持った内釜１１０の上部周囲面にはフランジ１１５が突出している。前記フランジ１１５は、前記内釜１１０が図１に図示されているような種類の誘導加熱調理器機のケース１内に装着された時、前記内釜１１０の挿入深さを制限する役目をするだけでなく、前記内釜１１０と前記カバー２との気密性を高める役目を果す。
【００３９】
前記内釜１１０の外面一部には、図４に図示したように多数の突起１１１が備わる。前記突起１１１は、前記キャップ１２０に備わり多数のホール１２１に挿入されることで、前記内釜１１０と前記キャップ１２０との結合力を高める役目を果す。
【００４０】
一方、前記キャップ１２０は、磁化可能な金属材質からなるが、望ましくは高い電気抵抗を持った金属からなる。前記キャップ１２０がこのような性質を持った材質からなると、釜１００に磁場が透過されて渦電流が流れる時、多くの抵抗熱を得ることができるので、調理に必要な熱を更に容易に得ることができる。前記した性質を要するキャップ１２０の材料としては、例えばステンレススチールが使われることができる。
【００４１】
前記キャップ１２０は、誘導加熱できるようにするために必要な前記内釜１１０の外面の一部に圧搾して附着される。このために、前記キャップ１２０の内面は、前記内釜１１０の外面一部と等しい形象を持つ。この場合、前記キャップ１２０は前記内釜１１０の下面に備わることが望ましい。そして、更に前記図３に図示したように、前記内釜１１０の下面だけでなく、下部周囲面にも備わることが望ましい。前記のように備わるキャップ１２０は、釜１００が前記図１に図示したような種類の誘導加熱調理機器に装着された場合、前記コイル４と向き合うようになる。
【００４２】
一方、前記キャップ１２０は、このような構造に限らず、必要な場合には前記内釜１１０の外面全体に備わることもできる。この場合、前記キャップ１２０の内面は前記内釜１１０の外面全体と等しい形象を持つ。
【００４３】
このようなキャップ１２０には多数のホール１２１が形成され、それぞれのホール１２１は例えば、図３に図示したように円形からなる。しかし、前記各ホール１２１の形象はここに限らず、三角形、四角形、星形などの多角形の形態、または楕円形など、非常に多様な形態で形成されることができる。このように、前記ホール１２１の模様を多様に形成すれば、釜１００の外観を更に美しくできる。そして前記キャップ１２０を製作する時に前記ホール１２１の模様を変えることで、本発明による釜１００の外部デザインを容易に変更することができる。
【００４４】
一方、前記のようにキャップ１２０に形成された前記ホール１２１には、前記内釜１１０の突起１１１が結合される。前記のように前記内釜１１０の突起１１１が前記キャップ１２０のホール１２１に収容された状態で固定された構造のため、前記内釜１１０とキャップ１２０は堅固に結合された状態を維持することができる。
【００４５】
本発明による釜１００において、前記突起１１１は、前記内釜１１０を製作する段階で人為的に形成した後、前記キャップ１２０の突起１１１に挿入するものではない。更に詳しく説明すれば、本発明による釜１００を製作するためには、前記内釜１１０とキャップ１２０をそれぞれ製作した後、互いに結合させることになるが、前記内釜１１０を製作する時に、前記突起１１１を別途に形成するものではない。
【００４６】
しかし、前記突起１１１は、それぞれ別途に製作された前記内釜１１０とキャップ１２０を、高温、高圧状態で結合させる時、前記内釜１１０の一部が高圧によって前記キャップ１２０のホール１２１に圧し込まれ、前記ホール１２１に完全に嵌まり込む過程で形成されるものである。このように前記突起１１１が前記ホール１２１に嵌まり込むことで、前記キャップ１２０と前記内釜１１０とが更に堅く結合される原理は、リベティング原理と非常に類似する。
【００４７】
一方、前記突起１１１は、前記内釜１１０の下面と下部外周面からそれぞれ突出する。従って、前記突起１１１が突出する方向が違っているので、前記キャップ１２０は堅固に結合し、外力によって分離されない。
【００４８】
前記したように本発明による釜１００は、前記のような独特の過程を通じて内釜１１０とキャップ１２０が結合される過程を通じて製作される。以下では図５−Ａないし図５−Ｄを参照して、本発明による誘導加熱器機の釜の製造方法に対して更に詳細に説明する。
【００４９】
本発明による釜の製造方法は、内釜１１０とキャップ１２０をそれぞれ形成する段階、前記内釜１１０とキャップ１２０を予熱する段階、そして前記内釜１１０とキャップ１２０を結合する段階など、大きく４つの段階からなる。
【００５０】
ここで、前記内釜１１０は、図５−Ａに図示したように、内部に調理空間１０１を持ち、上部には開口部を持つように形成する。このような内釜１１０は、第１板を、例えばアルミニウム版をドローイング加工して形成する。この時、必要ならば、図３に図示されたフランジ１１５も共に形成し、前記フランジ１１５の端部は切断して望みの形で加工する。
【００５１】
そして、前記キャップ１２０は、図５−Ｂに図示したように、内面が前記内釜１１０の少なくとも外面一部に対応する形象を持つように加工する。この時, 前記キャップ１２０は、磁化可能な金属、さらには高い電気抵抗を持っている材質、例えばステンレス材質で製作する。
【００５２】
このようなステンレスなどからなる平らな第２板を穿孔して前記ホール１２１を形成した後、穿孔されたステンレス版をプレス加工するなどの方法により塑性変形させて前記キャップ１２０を製作する。
【００５３】
前記内釜１１０とキャップ１２０がそれぞれ製作されれば、これらを図５−Ｃに図示したように、前記キャップ１２０を前記内釜１１０の下部に配置した後、所定の温度まで、例えばプレス加工が容易な温度まで予熱する。
【００５４】
そして、前記内釜１１０とキャップ１２０の予熱が完了したら、前記内釜１１０とキャップ１２０を高温状態で圧搾して結合させる。そうすると、前記内釜１１０の外面の一部は、高い圧力によって前記キャップ１２０のホール１２１に圧し込まれて突起１１１を形成し、前記突起１１１は図５−Ｄに図示したように、前記ホール１２１に完全に嵌め込まれることになる。前記のようにキャップ１２０のホール１２１に、前記内釜１１０の突起１１１が収容された状態で前記内釜１１０とキャップ１２０が冷却すれば、前記内釜１１０とキャップ１２０は図３に図示したような一体化した形象の完全に一つの釜１００になる。
【００５５】
前記内釜１１０とキャップ１２０が、前記した方法により結合されれば、前記内釜１１０とキャップ１２０の境界部位が高温高圧によって互いにくっつき合うため、前記内釜１１０とキャップ１２０とは分離しない。更に、前記内釜１１０の突起１１１が前記キャップ１２０に収容された状態を維持するので、前記内釜１１０と前記キャップ１２０の結合力は向上する。また、前記突起１１１が突出する方向が違うので、前記キャップ１２０は堅固に結合して前記内釜１１０とキャップ１２０は外力によって分離されない。
【００５６】
前記のような方法により製造された本発明による釜１００は、図１に図示したような種類の誘導加熱調理機器に装着されて使われる。前記誘導加熱調理機器が作動する時、前記コイル４に電流が印加されれば、コイル４の周辺に形成された磁場は、前記キャップ１２０が形成された部分を透過するようになる。そうすると、前記キャップ１２０に渦電流が流れることになり、前記キャップ１２０は高い電気抵抗を持った材質からなるため抵抗熱が発生する。このようにキャップ１２０から発生した抵抗熱は、熱伝導率が高い材質からなる内釜１１０に伝わり、内釜１１０に伝えられた熱は前記内釜１１０内に収容された食べ物を加熱して調理する。
【００５７】
一方、前記誘導加熱調理機器に第１ヒーター５、または第２ヒーター６が更に備わる場合、前記第１及び第２ヒーター５及び６は、補助的に食べ物を加熱して調理を助ける。そして調理が完了した後、前記第１及び第２ヒーター５及び６は、前記食べ物を保温する役目をする。
【００５８】
他の一つでは、前記カバー２にバルブ８が備わる場合、前記バルブ８は調理時に前記内釜１１０内の食べ物から発生する蒸気を外部に排出する。従って、前記バルブ８によって、前記誘導加熱調理器機の内部圧力の上昇を防止できるため安全事故も防止することができる。
【産業上の利用可能性】
【００５９】
前記した本発明は次のような長所がある。
【００６０】
第一、クラッド板材を作る複雑な工程、及びこれをさらに加工する過程なしに、それぞれ別途に製作した内釜とキャップとを圧搾して製作するので、従来に比べて簡単に釜を製造することができる。
【００６１】
第二、誘導加熱のために必要な部分にだけキャップが備わるので、従来のものより釜の重量を減らすことができる。また高価なステンレス材質が少なく使われるので製造費用も減少させることができる。
【００６２】
第三、前記キャップのホールを多様な形状で製作することができるので、美しい外観を得ることができるばかりでなく、釜の外部デザインを容易に変形させることができる。
【００６３】
第四、前記内釜の外面一部が、高温高圧によって前記キャップのホールに押し込められた状態で結合するので、接着のために別途の補助材を使う必要がない。のみならず突起とホールによって、前記内釜とキャップは非常に堅固に結合される。
【００６４】
以上本発明の好適な一実施態様について説明したが、前記実施態様に限定されず、本発明の技術思想に基づいて種々の変形が可能である。
【図面の簡単な説明】
【００６５】
【図１】一般的な誘導加熱調理機器を現わした断面図である。
【図２】図1の誘導加熱調理器機の釜とコイルを現わした断面図である。
【図３】本発明による誘導加熱調理器機の釜を現わした斜視図である。
【図４】図３の釜を一部拡大した様子を現わした断面図である。
【図５−Ａ】内釜を製造した様子を現わした断面図である。
【図５−Ｂ】キャップを製造した様子を現わした断面図である。
【図５−Ｃ】内釜とキャップを予熱するために互いに対向させた様子を現わした断面図である。
【図５−Ｄ】内釜とキャップを高温高圧で圧搾して製造した本発明による釜を現わした断面図である。
【符号の説明】
【００６６】
１００…釜
１０１…調理空間
１１０…内釜
１１１…突起
１１５…フランジ
１２０…キャップ
１２１…ホール
【図１】
2004243116.tif 000003
【図２】
2004243116.tif 000004
【図３】
2004243116.tif 000005
【図４】
2004243116.tif 000006
【図５−Ａ】
2004243116.tif 000007
【図５−Ｂ】
2004243116.tif 000008
【図５−Ｃ】
2004243116.tif 000009
【図５−Ｄ】
2004243116.tif 000010